(57)【要約】【課題】大容量のハードディスクドライブを搭載する放映番組蓄積装置に蓄積された大量の蓄積番組情報の検索及び印刷に適した静止画の生成手段と代表静止画の決定手段とを有する放映番組蓄積装置を提供することである。【解決手段】放映番組から静止画を生成する複数の静止画生成手段を有し、放映番組の番組種類を判定する番組種類判定手段を有し、番組種類ごとに静止画生成手段を振分ける振分け手段を有し、放映番組とともに前記静止画生成手段にて生成された静止画を関連付けて蓄積する蓄積手段とを有する放映番組蓄積装置において、放映番組の番組種類を前記番組種類判定手段にて判定し、判定された番組種類に基づいて前記振分け手段にて放映番組の番組種類に振分けられた前記静止画生成手段を用いて放映番組の代表静止画を生成し、放映番組とともに前記代表静止画を前記蓄積手段にて蓄積することを特徴とする。【選択図】図１
2006157556.tif 000002
【特許請求の範囲】
【請求項１】
放映番組から静止画を生成する複数の静止画生成手段を有し、放映番組の番組種類を判定する番組種類判定手段を有し、番組種類ごとに静止画生成手段を振分ける振分け手段を有し、放映番組とともに前記静止画生成手段にて生成された静止画を関連付けて蓄積する蓄積手段とを有する放映番組蓄積装置において、
放映番組の番組種類を前記番組種類判定手段にて判定し、判定された番組種類に基づいて前記振分け手段にて放映番組の番組種類に振分けられた前記静止画生成手段を用いて放映番組の代表静止画を生成し、放映番組とともに前記代表静止画を前記蓄積手段にて蓄積することを特徴とする放映番組蓄積装置。
【請求項２】
放映番組の番組種類に基づいて番組種類にて振分けられた前記静止画生成手段を用いて放映番組の１つ又はそれ以上の静止画を生成し、生成された複数の静止画を表示する表示手段を有し、前記表示手段にて表示された静止画からユーザーによって代表静止画を決定される代表静止画決定手段を有することを特徴とする請求項１記載の放映番組蓄積装置。
【請求項３】
放映番組と放映番組から生成された代表静止画を関連付ける際に、蓄積画像のリスト情報を作成するリスト作成手段を有し、前記リスト情報を出力する際に前記代表静止画を付加して出力するリスト情報出力手段を有することを特徴とする請求項１記載の放映番組蓄積装置。
【請求項４】
前記蓄積手段において、放映番組は第１の蓄積領域に蓄積し、放映番組と関連付けられた静止画を第２の蓄積領域に蓄積することを特徴とする請求項１記載の放映番組蓄積装置。
【請求項５】
前記静止画生成手段において、写真画質として適正な補正を加え、印刷に適当な主画像と縮小表示用のサムネイル画像を合わせてＥｘｉｆ形式にて生成することを特徴とする請求項１記載の放映番組蓄積装置。
【発明の詳細な説明】
【技術分野】
【０００１】
本発明は、デジタル放映番組を受信可能な放映番組蓄積装置に関する。
【背景技術】
【０００２】
デジタル放送が開始され、放映番組に多重された番組情報が送信されるようになった。更に、デジタル放送はＨＤＴＶといった解像度から印刷にも適した高精細な画像情報が放送されるようになっている。又、放映番組蓄積装置においても大容量のハードディスクドライブを搭載するようになってきている。
【０００３】
そこで、放映番組から静止画を切出し番組表として表示する発明としては以下の発明が開示されている。
【０００４】
特許文献１で、番組選択手段によって蓄積されている番組の静止画像やダイジェスト番組をマス目に表示する。
【０００５】
特許文献２では、リモートコマンダ等の送出制御装置の指令に従い代表画面を選択し、その縮小画像を静止画としてカテゴリ別に電子番組ガイドとして表示する。
【０００６】
特許文献３では、ＭＰＥＧ２のトランスポートストリームに多重されて送信される番組表情報であるＥＰＧ（Ｅｌｅｃｔｒｏｎｉｃ  Ｐｒｏｇｒａｍ
Ｇｕｉｄｅ）から番組表を表示するために静止画データを取込む発明が開示されているが、静止画データの取込みにはユーザーが視聴中に特徴的又は印象的なシーンを指示するか、開始直後のタイトル表示画面を所定とするか、任意の一画面とするかといった手段を使用する。
【０００７】
特許文献４では、番組関連情報をグルーピング条件にて抽出し静止画を番組表として表示する。静止画としてはチューナー切替え時の最終画像とする。
【０００８】
特許文献５では、視聴者の指示から視聴画面を静止画像として取込み、多重にて伝送される番組情報に対応付け、識別子を持ち格納する。
【０００９】
特許文献６では、放送中の番組や録画した番組の静止画を小画面にて表示し、選択された静止画を動画面に切替えて表示する。
【００１０】
放送側からの静止画情報送信としては以下の発明が開示されている。
【００１１】
特許文献７では、オーディオ信号に含まれるデータチャンネルを用いて静止画像を含む番組情報を送信する。
【００１２】
更に、番組放送のための確認のための蓄積手段として次の発明が開示されている。
【００１３】
特許文献８では、放送する番組素材の記憶に関して、番組素材とその識別符号を第１の記憶装置に格納し、番組素材から抽出された１つ或いは複数の代表画像を識別符号と関連付けて第２の記憶装置に格納し、第２の記憶装置に格納された代表画像を表示し放送される番組素材の確認を行う。番組素材中のシーンの変化を検出して、代表画像を抽出する。複数の代表画像がある場合には、１つの番組素材代表画像を決定する。
【００１４】
映像種別によって映像処理方法を変更することに関して以下の発明が開示されている。
【００１５】
特許文献９では、ＥＧＰ（Ｅｌｅｃｔｒｏｎｉｃ  Ｐｒｏｇｒａｍ  Ｇｕｉｄｅ）によって選択された番組をＥＧＰと連携して映像種別を判別し、映像種別に従って映像処理の方法を決定し映像を処理する処理装置であり、特にニュース番組である場合はテロップ検出処理パラメタを変更しニュース切出しを行う。
【００１６】
【特許文献１】特開平８−３０７７６号公報
【特許文献２】特開平９−３７１８１号公報
【特許文献３】特開平１０−３０４３２０号公報
【特許文献４】特開平１０−２９４９０４号公報
【特許文献５】特開２００２−３２０１６４号公報
【特許文献６】特開２００３−２８３９３７号公報
【特許文献７】特開平７−２８８７５９号公報
【特許文献８】特許第３１１３８２５号公報
【特許文献９】特開２００１−２５１５６７号公報
【特許文献１０】特開平４−１１１１８１号公報
【特許文献１１】特開２００２−３００５１８号公報
【発明の開示】
【発明が解決しようとする課題】
【００１７】
しかしながら、放映番組から静止画を切出し番組表として表示する発明においては、静止画の切出しとしてユーザーの指示によってシーンが選択されたものであったり、開始直後のタイトル表示画面であったり、チューナー切替え時の最終画像であったりであり、放映番組を蓄積した後の蓄積番組を代表する静止画が必ずしも切出されている訳ではない。又、切出された静止画が発明によっては縮小処理を行っているように番組表表示のための比較的解像度の低い画像であり、決して印刷に適した静止画とはなっていない。
【００１８】
又、特許文献１０の放映側から多重にて送信される番組情報に含まれる静止画が送信される発明では、予め放映側が決定した静止画であり、蓄積された放映番組にとって最適な代表静止画とはならない。特に、生放送であるスポーツ番組やニュース番組には適さない。
【００１９】
更に、特許文献８における番組放送のための確認作業を容易にすることを目的に、番組素材をテープ記録装置とする第１の記憶装置に格納し、静止画をランダムアクセス可能な第２の記憶装置に記憶するとあり、ユーザーが使用する放映番組蓄積装置において２つの記憶装置を準備する必要がある。ここで、番組素材から代表画像を抽出する場合に特許文献１０で示されたシーンの変化を検知して行うが、番組放送の確認としては適してもユーザーが使用する放映番組蓄積装置における手段としては適さない。
【００２０】
特許文献９では、電子番組表ＥＧＰを利用することにより映像種別を判別し、映像処理方法を決定している。特に、テロップが数多く使用されるニュース番組等ではテロップ検出の動作制御のフラグをＴＲＵＥにするといった処理をし、又、映像種別ごとに画質調整を行う。ここでは、映像処理方法を決定するために番組種別を利用しており、静止画を生成するには適さない。
【００２１】
本発明は、上記問題に鑑みてなされたもので、その目的とする処は、大容量のハードディスクドライブを搭載する放映番組蓄積装置に蓄積された大量の蓄積番組情報の検索及び印刷に適した静止画の生成手段と代表静止画の決定手段とを有する放映番組蓄積装置を提供することである。
【課題を解決するための手段】
【００２２】
上記課題を達成するため、本発明の放映番組蓄積装置は、放映番組から静止画を生成する複数の静止画生成手段と、放映番組の番組種類を判定する番組種類判定手段と、番組種類ごとに静止画生成手段を振分ける振分け手段と、放映番組とともに前記静止画生成手段にて生成された静止画を関連付けて蓄積する蓄積手段とを持ち、放映番組の番組種類を前記番組種類判定手段にて判定し、判定された番組種類に基づいて前記振分け手段にて放映番組の番組種類に振分けられた前記静止画生成手段を用いて放映番組の代表静止画を生成し、放映番組とともに前記代表静止画を前記蓄積手段にて蓄積することを特徴としている。
【００２３】
又、本発明の他の特徴とする処は、放映番組の番組種類に基づいて番組種類にて振分けられた前記静止画生成手段を用いて放映番組の１つ又はそれ以上の静止画を生成し、生成された複数の静止画を表示する表示手段を有し、前記表示手段にて表示された静止画からユーザーによって代表静止画を決定される代表静止画決定手段を有することである。
【００２４】
又、本発明の他の特徴とする処は、放映番組と放映番組から生成された代表静止画を関連付ける際に、蓄積画像のリスト情報を作成するリスト作成手段を有し、前記リスト情報を出力する際に前記代表静止画を付加して出力するリスト情報出力手段を有することである。
【００２５】
又、本発明の他の特徴とする処は、前記蓄積手段において、放映番組は第１の蓄積領域に蓄積し、放映番組と関連付けられた静止画を第２の蓄積領域に蓄積することである。
【００２６】
更に、本発明の他の特徴とする処は、前記静止画生成手段において、写真画質として適正な補正を加え、印刷に適当な主画像と縮小表示用のサムネイル画像を合わせてＥｘｉｆ形式にて生成することである。
【発明の効果】
【００２７】
本発明によれば、大容量の記憶媒体を有する放映番組蓄積装置に蓄積された大量の蓄積番組情報の容易な検索及び印刷に適した静止画の生成手段と代表静止画の決定手段とを有する放映番組蓄積装置を提供することができる。
【発明を実施するための最良の形態】
【００２８】
次に、添付図面を参照しながら本発明の番組種類別静止画生成手段と代表静止画決定手段及び放映番組蓄積装置の実施の形態について説明する。
【００２９】
図１は、本発明の放映番組蓄積装置の一実施形態を説明するブロック図である。図において、１は放映番組蓄積装置で放映番組や放映番組に多重されて送信される番組情報を受信する放映受信部、２は放映番組に多重されて送信される番組情報を取得し放映番組蓄積装置に蓄積される放映番組の番組情報を記憶しておく番組情報記憶部、３は放映受信部１で受信される放映番組の番組種類を判定する番組種類判定部、４は番組種類判定部３で判定された番組種類に基づき各番組種類に振分けられた静止画生成手段を用いて静止画を生成し、更に、代表静止画を決定する静止画生成部、５は放映受信部１で受信される放映番組を蓄積するとともに静止画生成部４で生成された静止画を蓄積された放映番組と関連付けて蓄積する番組蓄積部であり、放映番組と静止画を関連付ける際に生成されるリスト情報も蓄積する。
【００３０】
６は番組蓄積部５に蓄積された放映番組を表示する表示部であり、静止画生成部４で放映番組の代表静止画の候補として複数の静止画が生成された場合に、この複数の静止画を表示しユーザーに表示された複数の静止画から代表静止画の決定を促す表示も行い、番組蓄積部５に蓄積された蓄積番組のリスト情報を蓄積番組に関連付けられた代表静止画とともに表示する。７は番組蓄積部５に蓄積された蓄積番組のリスト情報と蓄積番組に関連付けられた代表静止画を印刷する機能を有する印刷部である。
【００３１】
＜実施の形態１＞
図２は本実施形態を示すフローチャートである。図２において、放映受信部１で放映番組の受信が開始された場合に、ステップＳ１００にて放映番組の番組種類の判定を番組種類判定部３で行う。番組種類の判定には、予め放映番組の番組情報が記憶されている番組情報記憶部２からの情報で判定しても構わないし、放映番組に多重で送信されるメタ情報から判定しても構わない。
【００３２】
ステップＳ１１０においては、ステップＳ１００で判定された番組種類に振分けられた静止画生成手段を選択する。
【００３３】
ステップＳ１２０では、放映番組を番組蓄積部５への蓄積を行い、ステップＳ１３０では、ステップＳ１１０にて選択された静止画生成手段にて静止画の生成を行い、ステップＳ１４０では、ステップＳ１２０で蓄積される蓄積番組とステップＳ１３０で生成される静止画の関連付けを行うとともに蓄積番組のリスト情報作成を行う。ステップＳ１２０及びステップＳ１３０は、平行して行われる。ステップＳ１３０に関しては、ステップＳ１２０及びステップＳ１３０と平行して行っても構わないし、放映番組受信終了後に行っても構わない。
【００３４】
ステップＳ１３０で行われる静止画生成の手段として、例えば以下の例が挙げられる。
１）ニュース番組であった場合は、ニュース番組の冒頭及び終了前に放映されるテロップのみで構成されたニュース項目サマリー画面を静止画として生成する。代表静止画を決定する場合はニュース番組の終了前に放映されるニュース項目サマリー画面とする。
２）ドラマ番組であった場合は、番組開始時のシーンや番組終了時のシーン、コマーシャル開始前やコマーシャル終了後のシーンを静止画として生成する。代表静止画を決定する場合は主題歌放映前の番組終了シーンとする。
３）スポーツ中継番組であれば、特に、チーム名や選手名を予めユーザーによって指定し、指定された情報を基に放映番組と多重に送信されるメタ情報と照らし合わせ静止画生成のきっかけとする。代表静止画を決定する場合は、放映番組中の最後に指定したメタ情報が多重されたシーンとする。
４）スポーツ中継番組であれば、特許文献１１で開示されている、放映番組に多重で送信される「盛り上がり度」、「ゲームパラメータ」、「画面作りの情報」といったインディックスに従って静止画を生成する。代表静止画を決定する場合はインディックス値の最も大きいシーンとする。
５）特許文献７で開示されているように、送信側から番組情報とともに送信されてくる複数の静止画情報を用いることも可能である。代表静止画を決定する場合は最後の静止画とする。
【００３５】
尚、ステップＳ１３０では、上記静止画生成手段に従って、たった１枚の代表静止画を決定しても構わないし、複数枚の代表静止画候補を静止画として生成し後述のステップＳ１６０及びステップＳ１７０で示すユーザーに代表静止画決定を促しても良い。
【００３６】
又、ステップＳ１３０では、放映番組から切出した静止画を印刷処理にも適するように、明るさやコントラストと言った色調整も自動的に行う。放映番組から切出し、一旦生成された静止画のヒストグラムを取り、色バランスが最良と思われる静止画を代表静止画と決定することも可能である。
【００３７】
更に、ステップＳ１３０で生成され、後述のステップＳ１５０で蓄積される静止画のフォーマットとしては、印刷に適した画像処理が施された静止画を主画像とし、後述のステップ１６０でリスト情報に付随し表示するために縮小処理を施した静止画をサムネイル画像とした、デジタルカメラの静止画記憶手段で使用されるＥｘｉｆ形式を用いる。
【００３８】
ステップＳ１５０では、ステップＳ１３０で生成された静止画及びステップＳ１４０で生成されたリスト情報を番組蓄積部５にステップＳ１２０で蓄積された蓄積番組とは異なる領域に蓄積する。番組蓄積部５の異なる領域に記憶するとは、例えば、同一の記憶媒体の異なるパーティションに記憶するか、同一記憶媒体の同一パーティション内の異なるディレクトリ内に記憶する。
【００３９】
ステップＳ１６０では、ステップＳ１５０で蓄積された蓄積番組に関連付けられた静止画情報が１枚であるか複数枚であるかの判定を行い、蓄積番組に関連付けられた静止画が１枚であれば、それを代表静止画として処理を終了する。蓄積番組に関連付けられた静止画が複数枚ある場合は、ステップＳ１７０にて蓄積番組に対する複数枚の静止画を表示部６にてユーザーに表示するとともにユーザーによる代表静止画決定を促す表示を行う。代表静止画決定はユーザーのリモコン操作等により行われる。
【図面の簡単な説明】
【００４０】
【図１】本発明の実施形態における放映番組蓄積装置の構成を示す図である。
【図２】本発明の実施形態における放映番組蓄積装置の動作手順を示すフローチャートである。
【符号の説明】
【００４１】
１    放映受信部
２    番組情報記憶部
３    番組種類判定部
４    静止画生成部
５    番組蓄積部
６    表示部
７    印刷部
【図１】
2006157556.tif 000003
【図２】
2006157556.tif 000004